(57)【要約】【課題】前面パネルを周囲のシステムキッチン構築物と合わせ、システムキッチンの奥行き寸法に対し洗浄槽など前面パネルよりも後ろに配置された構成物のために効率的に空間を活用する活用する。【解決手段】前方に開口する前方開口部を有する箱状に形成された洗浄機本体内に、上方に開口する洗浄槽が前記前方開口部から前後方向に出し入れできるように収容されている食器洗浄機であって、前記洗浄槽の前部に前面パネルと操作部とが設けられ、前記操作部は前記前面パネルより前方に突出するように配設する。【選択図】図１
2012024376.tif 000002
【特許請求の範囲】
【請求項１】
前方に開口する前方開口部を有する箱状に形成された洗浄機本体内に、上方に開口する洗浄槽が前記前方開口部から前後方向に出し入れできるように収容されている食器洗浄機であって、前記洗浄槽の前部に前面パネルと操作部とが設けられ、前記操作部は前記前面パネルより前方に突出するように配設されたことを特徴とする食器洗浄機。
【請求項２】
食器洗浄機を所定の場所にビルトインし、洗浄槽を洗浄機本体内に押し入れた状態において、前面パネルはその表面が前記所定の場所に構築された構築物の表面材の表面と同一平面上になるように構成された請求項１記載の食器洗浄機。
【請求項３】
操作部が前面パネルから突出している寸法を２０ｍｍ〜３５ｍｍとした請求項１又は２記載の食器洗浄機。
【請求項４】
操作部の側面前部のコーナー部の円弧状の半径Ｒを５ｍｍ以上とした請求項１〜３のうちいずれか一項記載の食器洗浄機。
【発明の詳細な説明】
【技術分野】
【０００１】
本発明は、システムキッチンを構成するキッチンカウンタ下などにビルトインされ、洗浄槽を前後に進退移動させて食器類を出し入れするプルオープン型の食器洗浄機に関するものである。
【背景技術】
【０００２】
従来のビルトイン型の食器洗浄機において、図５は食器洗浄機がビルトインされたシステムキッチンの斜視図である。図６はシステムキッチンにビルトインされた食器洗浄機の断面模式図、図７は食器洗浄機の洗浄槽前部の断面図である。
【０００３】
図５は、食器洗浄機１０１をシステムキッチンを構成するキッチンカウンタＫの下にビルトインされた状態を示すもので、食器洗浄機１０１の前面１０２の上部には操作パネル１０５が設けられ、その下方にはキッチンカウンタＫの下に配置されたシステムキッチン構築物の表面材と同一の素材で色調、図柄を同一にした化粧面材１０６が取り付けられている。従って、食器洗浄機１０１がビルトインされてシステムキッチンを構成したときに周囲のシステムキッチン構築物との統一感が得られ、美麗な外観のシステムキッチンを構成することができるものである。
【０００４】
食器洗浄機１０１は、図６に示すように、前方に開口する開口部１０７を有する箱状に形成された本体１０４内に、食器類１１６が収納される洗浄槽１０３を開口部１０７から前後に進退移動させ、前方に引き出して上方に開口する洗浄槽３から食器類を出し入れすることができるようにしたプルオープン型に構成されている。
【０００５】
図７に示すように、洗浄槽１０３の前面は、前面上方から前方に延出形成された操作パネル取付部１０８と、洗浄槽１０３の前面下方から前方に延出形成された面材取付部１０９に配設された化粧面材１０６とを有する。洗浄槽１０３の前面外壁１０３ａとの間に空間を形成して取り付けられる。操作パネル取付部１０８には表面から操作パネル１０５が取り付けられ、その内側の洗浄槽３との間に形成される空間にスイッチ類を収容した電装品収容部１２０が取り付けられる。化粧面材１０６と洗浄槽１０３の前面外壁１０３ａとの間に形成される空間には、制御回路を構成した回路基板などを収容した制御回路収容部１２１などが配設される。
【０００６】
このようにして、システムキッチンの奥行き寸法に対し収納できる食器洗浄機１０１は、洗浄すべき食器類１１６を収納する洗浄槽１０３などに加え、化粧面材１０６などの前面パネルや、パネル１０５、電装品収容部１２０などの操作部の奥行き寸法を加えた総奥行き寸法によって決定されていた。
【先行技術文献】
【特許文献】
【０００７】
【特許文献１】特開２００５−２５３８２２号公報
【発明の概要】
【発明が解決しようとする課題】
【０００８】
しかしながら、このような従来の構成では、本体の奥行き寸法がキッチン奥行き寸法よりも大きくなると、食器洗浄機は前面パネルが突出して周囲のシステムキッチン構築物と合わせて収納することができない。よって、操作ボタンなどを有する操作部などにおいて、高機能化などを目的としたりして奥行き寸法が大きくなった場合に、洗浄槽奥行き寸法
を小さくして収納できるようにしたり、食器類の収納量を多くするために洗浄槽を大型化することを断念するなどの問題を有していた。
【課題を解決するための手段】
【０００９】
前記従来の課題を解決するために、本発明の食器洗浄機は、前方に開口する前方開口部を有する箱状に形成された洗浄機本体内に、上方に開口する洗浄槽が前記前方開口部から前後方向に出し入れできるように収容されている食器洗浄機であって、前記洗浄槽の前部に前面パネルと操作部とが設けられ、前記操作部は前記前面パネルより前方に突出するように配設されたことを特徴とするもので、操作部を大きくしたり洗浄槽を大きくしたりしても、前面パネルを周囲のシステムキッチン構築物と合わせ、システムキッチンの奥行き寸法に対し洗浄槽など前面パネルよりも後ろに配置された構成物のために効率的に空間を活用することができる。
【発明の効果】
【００１０】
本発明の食器洗浄機によれば、限られたキッチン奥行き寸法を効率的に活用することができる。
【図面の簡単な説明】
【００１１】
【図１】本発明の実施形態１に係る食器洗浄機をシステムキッチンにビルトインした状態を示す斜視図
【図２】同食器洗浄機の側面図
【図３】同食器洗浄機をシステムキッチンにビルトインした状態の断面模式図
【図４】同食器洗浄機の操作部の断面図
【図５】従来の食器洗浄機をシステムキッチンにビルトインした状態を示す斜視図
【図６】従来の食器洗浄機をシステムキッチンにビルトインした状態の断面模式図
【図７】従来の食器洗浄機の洗浄槽前部の断面図
【発明を実施するための形態】
【００１２】
第１の発明は、前方に開口する前方開口部を有する箱状に形成された洗浄機本体内に、上方に開口する洗浄槽が前記前方開口部から前後方向に出し入れできるように収容されている食器洗浄機であって、前記洗浄槽の前部に前面パネルと操作部とが設けられ、前記操作部は前記前面パネルより前方に突出するように配設されたことを特徴とする食器洗浄機であり、操作部を大きくしたり洗浄槽を大きくしたりしても、前面パネルを周囲のシステムキッチン構築物と合わせ、システムキッチンの奥行き寸法に対し洗浄槽など前面パネルよりも後ろに配置された構成物のために効率的に空間を活用することができる。
【００１３】
第２の発明は、第１の発明において、食器洗浄機を所定の場所にビルトインし、洗浄槽を洗浄機本体内に押し入れた状態において、前面パネルはその表面が前記所定の場所に構築された構築物の表面材の表面と同一平面上になるように構成された食器洗浄機であり、食器洗浄機がビルトインされてシステムキッチンを構成したときに周囲のシステムキッチン構築物との統一感が得られ、美麗な外観のシステムキッチンを構成することができる。
【００１４】
第３の発明は、第１又は第２の発明において、操作部が前面パネルから突出している寸法を２０ｍｍ〜３５ｍｍとした食器洗浄機であり、操作部に相応の厚みを有して大容量になる電装品収容部を収納することができる。
【００１５】
第４の発明は、第１〜第３のうちいずれかの発明において、操作部の側面前部のコーナー部の円弧状の半径Ｒを５ｍｍ以上とした食器洗浄機であり、突出した操作部のコーナー部に使用者が接触した場合のえいきょうを小さくすることができる。
【００１６】
（実施の形態１）
図１は、本実施形態に係る食器洗浄機をシステムキッチンを構成するキッチンカウンタＫの下にビルトインした状態を示す斜視図、図２は食器洗浄機の側面図、図３は食器洗浄機をシステムキッチンにビルトインした状態の断面模式図である。
【００１７】
図１と図２において、食器洗浄機１は、前面パネル２の上方に操作部５が前面パネル２より突出して設けられている。また、図３に示すように、前方開口部７を有する箱状に形成された洗浄機本体４内に、上方に開口する洗浄槽３を洗浄機本体４の前方開口部７から前後方向に出し入れできるようにし、前方に引き出して上方に開口する洗浄槽３から食器類１６を出し入れすることができるようにしたプルオープン型に構成されている。
【００１８】
前面パネル２は、洗浄機本体４の前面を覆うことができる幅に形成されているので、洗浄槽３を洗浄機本体４に収納した状態において、前面パネル２は洗浄機本体４の前方開口部７を閉じ、図１に示すように、周囲のシステムキッチン構築物の前面位置を合わせ、これらとの間に所定の間隙を隔ててシステムキッチンの構築物中に統一感のある状態に設置される。
【００１９】
洗浄機本体４には給水、排水の配管接続及び電源接続がなされ、洗浄槽３には洗浄機本体４から給水弁１１、給水ポンプ１２、給水パイプ１３を通じて給水接続がなされ、洗浄槽３の底面に配設されて回転駆動される洗浄ノズル１４から洗剤を混入させた洗浄水又はすすぎ水を噴射させて食器カゴ１５に収容した食器類１６を洗浄する。この洗浄槽３は、その外側面に取り付けられた第２のスライドレール１８を洗浄機本体４の内側面に取り付けられた第１のスライドレール１７上でスライドさせることにより、洗浄機本体４の前方開口部７から出し入れすることができる。洗浄槽３を洗浄機本体４内に押し入れたときには、洗浄槽３の上方開口部は内蓋１９によって密閉され、洗浄する水が外部に飛散しないようにしている。
【００２０】
洗浄槽３の前方には、洗浄槽３の幅と略同一にした前面パネル２が設けられ、前面パネル２の上方には操作部５が設けられている。操作部５には、図１に示すように、洗浄槽３を洗浄機本体４内に収納したとき、収納状態に保持するロック機構を解除して洗浄槽３の引き出しを可能にするロック解除レバーを有する把持部１０や、食器乾燥時の乾燥空気の排気口９、食器洗浄機１の運転を操作する操作入力ボタン８ａや表示部８ｂなどが設けられている。操作部５は、図２に示すように、前面パネル２の上方に前方に突出して取り付けられ、その内部にはスイッチ類６ａや基板などの電装部品を備えた電装品収容部６が取り付けられる。
【００２１】
キッチンでの食器洗浄機の使用環境上、スイッチ類６ａや基板は蒸気や水、熱などにより安全面や長期信頼性などにおいて悪影響を受けるため、樹脂コーティングや保護カバーなどにより保護する必要があり、結果として相応の厚みを有して大容量になる構成となる。これらのことから、電装品収容部６は一般的に１５ｍｍ〜３０ｍｍの奥行きを必要とし、操作部５の前面パネル２からの突出寸法は２０ｍｍ〜３５ｍｍになる。本実施例においては電装品収容部６の奥行き寸法は２０ｍｍとし、操作部５の前面パネル２からの突出寸法は２５ｍｍとしている。
【００２２】
このように、電装品収容部６を上部の操作部５に構成したことにより、操作の高機能化による電装品の大容量化に対しても、食器洗浄機自体は従来の奥行きのままで対応することができる。また、電装品の大容量化が伴わない場合には前面パネル２と洗浄槽３との間隔を小さくすることができ、洗浄槽３を大きくして食器類１６の収納量を増やすことができる。さらに、前面パネル２と洗浄槽３との間隔を小さくすることで、奥行き寸法Ｌが小さいモジュール（約６０ｃｍ）のシステムキッチンにも大きなモジュール（約６５ｃｍ）
に合わせた洗浄槽と同等の食器量を収納することができる洗浄槽を備えた食器洗浄機を提供することができる。
【００２３】
この操作部５の外郭は複数の部品で構成されているが、操作部５の下面で外部空間に曝され部分については、操作部５の下面に接するようなに前面パネル２にフランジ２ａが形成されている。これによって、下面から誤って水などの液体が浸入することを防ぐことができ、安全性を向上することができる。また、操作部５の下面には電装品収容部６を固定するための締結ネジなどを有しているため、操作部５の下面が露出された場合、意匠面や安全面の悪化が懸念されるが、フランジ２ａを有しているため意匠性と安全性も確保することができる。また、フランジ２ａの代わりに、サッシなどの別部品を使用してカバーすることによっても同様の効果が得られる。
【００２４】
操作部５は前面パネル２よりも前方に配置されるため、システムキッチンの形態によってはキッチンカウンタＫよりも前方に突出する場合がある。このため、操作部５の側面前部のコーナー部は円弧状に形成し、本実施の形態においては円弧の半径Ｒを５ｍｍとしている。この半径Ｒは大きいほど使用者が接触した場合の影響を小さくできて好ましいが、他のシステムキッチン構築物の把持部などの円弧形状に合わせれば、意匠面でも違和感なく構成することができる。
【００２５】
また、操作部５は洗浄槽３を引き出すための把持部１０を有するが、前面パネル２よりも前方に配置され下面は空間を有し、把持部下方に開口した形状を有している。よって、把持部１０へのアクセスが簡易となり、洗浄槽３の前後への進退移動において優れた操作性を有することができる。
【産業上の利用可能性】
【００２６】
以上の説明の通り、本発明によれば、システムキッチンなどのビルトイン場所の構築物の表面材前面に合わせた前面パネルよりも操作部５が前方に配置されるので、システムキッチンなどにビルトインしたとき、操作部に空間を占有されることなくキッチン奥行き寸法を効率的に活用することができる。また、モジュール寸法が大きなシステムキッチン用の食器洗浄機の洗浄槽と同等の容量の洗浄槽を、小さいモジュール寸法のシステムキッチンにも適用することができる。
【符号の説明】
【００２７】
１  食器洗浄機
２  前面パネル
３  洗浄槽
４  洗浄機本体
５  操作部
６  電装品収容部
７  前方開口部
８ａ  操作入力ボタン
８ｂ  表示部
９  排気口
１０  把持部
【図１】
2012024376.tif 000003
【図３】
2012024376.tif 000004
【図４】
2012024376.tif 000005
【図５】
2012024376.tif 000006
【図６】
2012024376.tif 000007
【図７】
2012024376.tif 000008
【図２】
2012024376.tif 000009